(57)【要約】端末(1)と、クライアント・クライアント間の情報用にメッセージサーバ(11)を介してメッセージを交換するネットワークユニット(10)とを有する電気通信システムは、制御命令を検出する検出器(7、14)と、制御命令を生成する生成器(6、15)とを備える。メッセージは、端末(1)とネットワークユニット(10)との間で相互作用を制御するためのこれらの制御命令を備える。その結果として、メッセージサーバ(11)は、異なる種類のネットワーク内及び異なる種類のネットワーク経由での異なる種類の相互作用を制御することができる。前記メッセージは、発信元と宛先の識別表示を更に有する。前記制御命令は、前記相互作用を認証する認証命令と、通信を設定するケイパビリティ命令又は設定命令とを有する。前記メッセージはXMLメッセージの形式になり得る。ブリッジサーバ(30)は、メッセージサーバ(11)と通信可能な関係者と、通信不可能な関係者との間のギャップをブリッジする。
2005525058.tif 000002
【特許請求の範囲】
【請求項１】
端末とネットワークユニットとを有する電気通信システムであって、
前記端末は、メッセージを送受信するトランシーバを有し、
前記ネットワークユニットは、前記メッセージを送受信するトランシーバを有し、前記メッセージを供給するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とする電気通信システム。
【請求項２】
請求項１に記載の電気通信システムであって、
前記メッセージが発信元の識別表示及び／又は宛先の識別表示を更に有することを特徴とする電気通信システム。
【請求項３】
請求項２に記載の電気通信システムであって、
制御命令が前記相互作用を認証する認証命令を有することを特徴とする電気通信システム。
【請求項４】
請求項２に記載の電気通信システムであって、
制御命令がケイパビリティを定めるケイパビリティ命令を有することを特徴とする電気通信システム。
【請求項５】
請求項２に記載の電気通信システムであって、
制御命令が通信を設定する設定命令を有することを特徴とする電気通信システム。
【請求項６】
請求項３ないし５のうちのいずれか１項に記載の電気通信システムであって、
前記メッセージがXMLメッセージであることを特徴とする電気通信システム。
【請求項７】
端末とネットワークユニットとを有する電気通信システムで使用される端末であって、
前記端末は、メッセージを送受信するトランシーバを有し、
前記ネットワークユニットは、前記メッセージを送受信するトランシーバを有し、前記メッセージを供給するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とする端末。
【請求項８】
端末とネットワークユニットとを有する電気通信システムで使用されるネットワークユニットであって、
前記端末は、メッセージを送受信するトランシーバを有し、
前記ネットワークユニットは、前記メッセージを送受信するトランシーバを有し、前記メッセージを供給するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とするネットワークユニット。
【請求項９】
端末とネットワークユニットとを有する電気通信システムで使用されるメッセージサーバであって、
前記端末は、メッセージを送受信するトランシーバを有し、
前記ネットワークユニットは、前記メッセージを送受信するトランシーバを有し、前記メッセージを供給する前記メッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とするメッセージサーバ。
【請求項１０】
電気通信システムで使用される方法であって、
端末でメッセージを送受信するステップと、
ネットワークユニットで前記メッセージを送受信するステップと、
前記ネットワークユニットのメッセージサーバで前記メッセージを供給するステップと
を有し、
少なくとも１つのメッセージが、端末とネットワークユニットの間で少なくとも１つの相互作用を制御するための少なくとも１つの制御命令の少なくとも一部を有し、前記方法が、前記端末及び前記メッセージサーバで制御命令を検出するステップと、前記端末及び前記メッセージサーバで制御命令を生成するステップとを有することを特徴とする方法。
【請求項１１】
ネットワークユニットで使用されるプロセッサプログラム製品であって、
前記ネットワークユニットで前記メッセージを送受信する機能と、
前記ネットワークユニットのメッセージサーバで前記メッセージを供給する機能と
を有し、
少なくとも１つのメッセージが、端末とネットワークユニットの間で少なくとも１つの相互作用を制御するための少なくとも１つの制御命令の少なくとも一部を有し、前記プロセッサプログラム製品が、前記メッセージサーバで制御命令を検出する機能と、前記メッセージサーバで制御命令を生成する機能とを有することを特徴とするプロセッサプログラム製品。
【請求項１２】
端末で使用されるプロセッサプログラム製品であって、
前記端末で前記メッセージを送受信する機能を有し、
少なくとも１つのメッセージが、端末とネットワークユニットの間で少なくとも１つの相互作用を制御するための少なくとも１つの制御命令の少なくとも一部を有し、前記プロセッサプログラム製品が、前記端末で制御命令を検出する機能と、前記端末で制御命令を生成する機能とを有することを特徴とするプロセッサプログラム製品。
【発明の詳細な説明】
【技術分野】
【０００１】
本発明は、端末とネットワークユニットとを有する電気通信システムに関するものであり、前記端末はメッセージを送受信するトランシーバを有し、前記ネットワークユニットは前記メッセージを送受信するトランシーバを有し、前記メッセージを供給するメッセージサーバを有する。
【０００２】
本発明はまた、端末とネットワークユニットを有する電気通信システムで使用される端末に関するものであり、前記端末はメッセージを送受信するトランシーバを有し、前記ネットワークユニットは前記メッセージを送受信するトランシーバを有し、前記メッセージを供給するメッセージサーバを有する。更に、本発明は、端末とネットワークユニットを有する電気通信システムで使用されるネットワークユニットに関するものであり、前記端末はメッセージを送受信するトランシーバを有し、前記ネットワークユニットは前記メッセージを送受信するトランシーバを有し、前記メッセージを供給するメッセージサーバを有する。更に、本発明は、端末とネットワークユニットを有する電気通信システムで使用されるメッセージサーバに関するものであり、前記端末はメッセージを送受信するトランシーバを有し、前記ネットワークユニットは前記メッセージを送受信するトランシーバを有し、前記メッセージを供給するメッセージサーバを有する。更に、本発明は、電気通信システムで使用される方法に関するものであり、端末でメッセージを送受信するステップと、ネットワークユニットで前記メッセージを送受信するステップと、前記ネットワークユニットのメッセージサーバで前記メッセージを供給するステップを有する。更に、本発明は、ネットワークユニットで使用されるプロセッサプログラム製品に関するものであり、前記ネットワークユニットでメッセージを送受信する機能を有する。更に、本発明は、端末で使用されるプロセッサプログラム製品に関するものであり、前記端末でメッセージを送受信する機能を有する。
【０００３】
そのような電気通信システムは、例えばGSMシステム、UMTSシステム、無線LANシステム、又は有線ネットワーク等である。前記端末は、例えばGSM端末、UMTS端末、無線LAN端末、又はPC等である。前記ネットワークユニットは、例えばGSM基地局、UMTSノード、無線LANユニット、又はアクセスプロバイダ及び／若しくはサービスプロバイダのスイッチ等である。前記メッセージサーバは、第１のクライアントからメッセージを受信し、そのメッセージを第２のクライアントに転送するように、前記メッセージを供給するサーバである。前記メッセージは、例えばクライアント間のデータ交換を可能にするショートメッセージサービスのメッセージ又はSMSメッセージである。これらのメッセージは単にクライアント・クライアント間の情報用である。
【背景技術】
【０００４】
先行技術の電気通信システムは、WO01/56308から周知であり、そのWO0150638は無線端末に結合された無線ネットワークと、固定端末に結合され、固定ネットワークと無線ネットワークのインスタント・メッセージング・サービス間のギャップをブリッジする固定ネットワークを開示する。この先行技術によると、(無線端末の電源がオンになったため、又は固定端末がオンラインになったため)他の(無線又は固定)クライアントに到達できることを(無線又は固定)クライアントに通知するために、メッセージが作られる。先行技術によると、メッセージが(２つの端末間ではなく)端末とネットワークの間で交換されるが、このメッセージは、単にクライアント・クライアント間の情報用であり、第２のクライアントに到達できることを第１のクライアントに通知する。
【発明の開示】
【発明が解決しようとする課題】
【０００５】
既知の電気通信システムは、特にうまく統合されないため、不利である。すなわち、前記メッセージは情報用に使用され、ネットワーク(GSM、UMTS、無線LAN又は有線ネットワーク等)の制御が前記メッセージと全く別に実現される。
【課題を解決するための手段】
【０００６】
更に統合された序文で定められたような電気通信システムを提供することが、特に本発明の目的である。
【０００７】
本発明による電気通信システムは、少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とする。
【０００８】
端末とネットワークユニットの間で少なくとも１つの相互作用を制御する少なくとも１つの制御命令の少なくとも一部を少なくとも１つのメッセージに具備することにより、及び制御命令を検出する検出器と制御命令を生成する生成器をそれぞれ前記端末と前記メッセージサーバに具備することにより、端末とネットワークユニットの間の相互作用がメッセージサーバを介して制御され得る。メッセージサーバがクライアント・クライアント間の情報に使用され、ネットワーク制御が別に実現される先行技術とは対照的に、本発明による電気通信システムは双方の選択肢を組み合わせる。その結果として、異なる種類のネットワーク内及び／又は異なる種類のネットワーク経由での異なる種類の相互作用を制御するために、同じメッセージインフラが使用され得る。
【０００９】
本発明は、メッセージインフラが１つより多い目的で使用され得るという見識に特に基づき、メッセージがクライアント・クライアント間の情報の代わりに及び／又はそれに加えて制御命令を具備し得るという基本概念に特に基づく。
【００１０】
本発明は、特に、同じ制御命令を有する同じメッセージが、異なる種類のネットワーク内及び／又は異なる種類のネットワーク経由での同じ相互作用について同じになり得るという点で、更に統合された有利な電気通信システムを提供するという問題を特に解決する。
【００１１】
請求項２に記載された本発明による電気通信システムの第１の実施例は、前記メッセージが発信元の識別表示及び／又は宛先の識別表示を更に有するという点で有利である。
【００１２】
クライアント、端末、ネットワークユニット及び／又はメッセージサーバを定める前記識別表示により、異なるクライアントが異なる端末及び異なるメッセージサーバを使用し、異なるネットワークユニットを介して異なるネットワークに入ることが可能になる。発信元の識別表示は送信側(クライアント、端末、ネットワークユニット、又はメッセージサーバ等)を定め、宛先の識別表示は受信側(クライアント、端末、ネットワークユニット、又はメッセージサーバ等)を定める。
【００１３】
請求項３に記載された本発明による電気通信システムの第２の実施例は、制御命令が前記相互作用を認証する認証命令を有するという点で有利である。
【００１４】
前記認証命令により、例えば課金目的用の前記相互作用の認証が可能になる。一般的に少なくとも２つの認証命令が交換される。送信側から受信側への第１のメッセージを介した第１の認証命令と、その逆の第２の(応答)メッセージを介した第２の認証命令があり、その認証命令の後に、前記送信側と受信側の少なくとも１つが継続するか否かを決定する。
【００１５】
請求項４に記載された本発明による電気通信システムの第３の実施例は、制御命令がケイパビリティを定めるケイパビリティ命令を有するという点で有利である。
【００１６】
前記ケイパビリティ命令は、例えばGSM通信、UMTS通信、無線LAN通信、IP通信、Voice  over  IP又はVOIP通信、MPEG-2又はMPEG-4通信、ボイスメール、電話会議等のように、異なる種類の可能な相互作用を定める。一般的に少なくとも２つのケイパビリティ命令が交換される。送信側から受信側への第１のメッセージを介した第１のケイパビリティ命令であって、前記送信側のケイパビリティを前記受信側に通知する第１のケイパビリティ命令と、その逆の第２の(応答)メッセージを介した第２のケイパビリティ命令があり、そのケイパビリティ命令の後に、前記送信側と受信側の少なくとも１つが何の通信を開始するかを決定する。
【００１７】
請求項５に記載された本発明による電気通信システムの第４の実施例は、制御命令が通信を設定する設定命令を有するという点で有利である。
【００１８】
前記設定命令により、クライアント及び／又は端末の２つの関係者間の通信の形式で相互作用を設定することが可能になる。一般的に前記設定命令は、到達するクライアント及び／又は端末の識別表示を有する。一般的に(排他的ではない)、前記通信が確立された後には、メッセージサーバはその通信にもはや含まれない。
【００１９】
従って、ユーザは、登録、認証、ケイパビリティの交渉、情報取得等のために、及び１つ以上のメッセージサーバを介して同じメッセージインフラを使用する他のユーザ、又はブリッジサーバが一種のインタフェースになることにより異なるもの若しくは全く違うものを使用する他のユーザと関係なく、全ての種類の端末と全ての種類のリンクと全ての種類のネットワークユニットを介して他のユーザとの通信を設定するために、全ての種類の端末と全ての種類のリンクと全ての種類のネットワークユニットを介してメッセージサーバと相互作用することができる。
【００２０】
請求項６に記載された本発明による電気通信システムの第５の実施例は、前記メッセージがXMLメッセージであるという点で有利である。
【００２１】
XMLメッセージはオープンスタンダード(例えばhttp://www.w3.org/XML/)が起源であり、クライアントとホームサーバを特定するXML  UserIDにより、複数のサーバを使用することが可能になる。しかし、例えばオペレーティングシステムのプロバイダやインターネットプロバイダのメッセージインフラで使用されるメッセージのような、他のメッセージが除外されているわけではない。
【００２２】
留意すべき点は、少なくとも１つのメッセージは少なくとも１つの制御命令の少なくとも一部を有するということである。１つのメッセージは１つより多い制御命令を有してもよく、それぞれ制御命令(の一部)を有するいくつかのサブメッセージを有してもよい。前記サブメッセージは、正しい時間に(場合によっては空のタイムスロット又は空でないタイムスロットで分離される)、周波数分割を介して、及び／又は符号分割等を介してその後に交換される。他のメッセージも、制御命令(の一部)を有してもよく、及び／又は例えば一般情報のようなクライアント・クライアント間のデータのようなデータを有してもよい。
【００２３】
本発明による端末の実施例と、本発明によるネットワークユニットの実施例と、本発明によるメッセージサーバの実施例と、本発明による方法の実施例と、ネットワークユニットで使用される本発明によるプロセッサプログラム製品の実施例と、端末で使用される本発明によるプロセッサプログラム製品の実施例は、本発明による電気通信システムの実施例に対応する。
【００２４】
本発明の前記と他の態様が、後述の実施例を参照して明らかになる。
【発明を実施するための最良の形態】
【００２５】
図１に開示された電気通信システムは、送信機3とインタフェース4と受信機5とを有するトランシーバ3、4、5に結合されたコントローラ2を有する移動体端末1を有する。送信機3は更にインタフェース4に結合され、そのインタフェース4は更にアンテナと受信機5に結合される。移動体端末1は、コントローラ2と送信機3に結合された生成器6と、コントローラ2と受信機5に結合された検出器7とを更に有する。
【００２６】
図１に開示された電気通信システムは、コントローラ12と、前記コントローラに結合されたメモリ13と、前記コントローラ11に結合された検出器14と、前記コントローラ12に結合された生成器15とを有するメッセージサーバ11を有するネットワークユニット10を更に有する。ネットワークユニット10は、コントローラ12と、送信機19とインタフェース18と受信機17とを有するトランシーバ17、18、19に結合されたスイッチ10を更に有する。送信機19は、更にインタフェース18に結合され、そのインタフェース18は更にアンテナと受信機17に結合される。検出器14と生成器15は更にスイッチ16に結合される。
【００２７】
双方のアンテナは、時分割多重方式、周波数分割多重方式及び／又は符号分割多重方式等に基づいて、無線チャネル8を介して結合される。
【００２８】
図１に開示された電気通信システムは、コントローラ32に結合されたスイッチ31を有するブリッジサーバを更に有し、そのコントローラ32は更に生成器33と検出器34に結合される。生成器33と検出器34は更にスイッチ31に結合される。
【００２９】
図１に開示された電気通信システムは、スイッチ16とスイッチ31に結合された更なるネットワークユニット20を更に有し、スイッチ31が更にスイッチ16に結合される。
【００３０】
移動体端末1を操作して、ユーザが電話をかけることを希望し、又は入電に利用可能にすることを希望することを決めるユーザは、図示されていないが、例えばディスプレイを更に有し、コントローラ2に結合された例えばマンマシン・インタフェース又はmmiの一部を構成する例えばキーボードのキーを押すことにより、移動体端末1のスイッチを入れる。それに応じて、コントローラ2は、制御命令がレジスタ命令の形式で生成されるように生成器6を制御し、そのレジスタ命令が送信機3に供給される。送信機3は、前記ユーザ、移動体端末1(発信元)、ネットワークユニット10、及び／又はメッセージサーバ11(宛先)の識別表示をコントローラ2から受信する。その識別表示は、例えば図示されていないが、コントローラ2に結合されたメモリに格納される。前記ユーザ及び／又は移動体端末1の識別表示により、前記ユーザが異なる端末を使用することが可能となり、及び／又は同じネットワークユニット10で使用する１つ以上の移動体端末を許容する。また前記ネットワークユニット10及び／又はメッセージサーバ11の識別表示により、前記ユーザ及び／又は移動体端末1がその他のネットワークユニット及び／又はその他のメッセージサーバを介してホームネットワークに入ることが可能になる。
【００３１】
送信機3は、レジスタ命令と前記識別表示をレジスタメッセージに結合し、インタフェース4と無線チャネル8を介して、そのレジスタメッセージをネットワークユニット10に送信する。そのネットワークユニット10は、インタフェース18を介して受信機17で前記レジスタメッセージを受信する。受信機17は、レジスタメッセージをスイッチ16に供給し、そのスイッチ16は、レジスタメッセージ(の一部)を(１つ以上の識別表示を有して又は有さずに)検出器14に供給する。検出器14は、移動体端末1がメッセージサーバ11に登録することを希望していることを、コントローラ12に通知する。コントローラ12は、前記レジスタメッセージの受信を確認するための応答(レジスタ)命令を生成するように生成器15に命令する。その応答(レジスタ)命令は、１つ以上の前記識別表示とともに、応答(レジスタ)メッセージに結合され、その応答(レジスタ)メッセージがスイッチ16を介して送信機19に供給される。
【００３２】
送信機19は、インタフェース18と無線チャネル8を介して、移動体端末1にこの応答(レジスタ)メッセージを送信し、移動体端末1は、インタフェース4を介して受信機5で前記応答(レジスタ)メッセージを受信する。受信機5は、応答(レジスタ)メッセージを検出器7に供給する。検出器7は、１つ以上の前記識別表示と応答(レジスタ)命令を検出し、メッセージサーバ11が前記レジスタメッセージを受信したことを、コントローラ2に通知する。その結果として認証を開始する。
【００３３】
生成器6は、１つ以上の認証命令を生成し、送信機3は前記１つ以上の認証命令を前記識別表示と結合して、ネットワークユニット10のメッセージサーバ11に送信される１つ以上の認証メッセージにし、それに応じて、１つ以上の応答(認証)メッセージが返信される。最終的に、前記コントローラ2と12のうちの少なくとも１つは、前記認証が成功したことを決定し、最後の応答(認証)メッセージで前記認証が終了し、結果として“welcome”という文字が前記ディスプレイに表示される。次にケイパビリティが交換される。
【００３４】
生成器6は、１つ以上のケイパビリティ命令を生成し、送信機3は前記１つ以上のケイパビリティ命令を前記識別表示と結合して、ネットワークユニット10のメッセージサーバ11に送信される１つ以上のケイパビリティメッセージにし、それに応じて、１つ以上の応答(ケイパビリティ)メッセージが返信される。前記ケイパビリティ命令は、例えば、GSM通信、UMTS通信、無線LAN通信、IP通信、Voice  over  IP又はVOIP通信、MPEG-2又はMPEG-4通信、ボイスメール、電話会議等のように、可能な相互作用の種類を定める。その後に、前記関係者のうちの少なくとも１つが、何の通信が行われるかを決定する。最終的に、前記コントローラ2と12のうちの少なくとも１つは、移動体端末1とネットワークユニット10の間で何のケイパビリティが利用可能であるかを決定し、例えば使用される可能なケイパビリティの概要を有する最後の応答(認証)メッセージで、前記ケイパビリティの交換が終了する。その概要は前記ディスプレイに表示され、それによって前記ユーザがケイパビリティを開始することを提供する。
【００３５】
移動体端末1を操作するユーザが、更なる端末で更なるユーザに電話をかけることを希望する場合、ユーザは、電話メニューを選択して、並びに／又は前記更なるユーザ及び／若しくは更なる端末等の識別表示を入力して、例えばキーボードのキーを押す。それに応じて、コントローラ2は、制御命令が設定命令の形式で生成されるように生成器6を制御し、その設定命令が送信機3に供給される。送信機3は、前記ユーザ、移動体端末1(発信元)、前記更なるユーザ、及び／又は更なる端末(宛先)の識別表示をコントローラ2から受信する。
【００３６】
送信機3は、前記設定命令と前記識別表示を設定メッセージに結合し、インタフェース4と無線チャネル8を介して、その設定メッセージをネットワークユニット10に送信する。そのネットワークユニット10は、インタフェース18を介して受信機17で前記設定メッセージを受信する。受信機17は、設定メッセージをスイッチ16に供給し、そのスイッチ16は、設定メッセージ(の一部)を(１つ以上の識別表示を有して又は有さずに)検出器14に供給する。検出器14は、前記ユーザ及び／又は移動体端末1が前記更なるユーザ及び／又は更なる端末との通話を設定することを希望していることを、コントローラ12に通知する。コントローラ12はメモリ13を調べ、以下の３つの可能性のうちの１つが継続することを確認する。
【００３７】
第１の可能性(図２で双方のメッセージサーバが一致するものとして図２に示される)によると、前記更なるユーザ及び／又は前記更なる端末51(詳細に図示されていないが、例えば移動体端末1と同じブロックを含む)は、スイッチ16を介してメッセージサーバ11に直接的に結合される。コントローラ12はメモリ13を調べ、このことを確認し、前記更なるユーザ及び／又は更なる端末51が利用可能であり、双方の端末1、51が何のケイパビリティを共通に有しているかを確認し、設定メッセージを転送するための転送(設定)命令を生成するように生成器15に命令する。その転送(設定)命令は、更なるユーザ及び／又は更なる端末51の識別表示、並びに前記ユーザ及び／又は移動体端末1の識別表示と共に、転送(設定)メッセージに結合され、その転送(設定)メッセージがスイッチ16を介して(場合によってはその他のトランシーバを介して)更なる端末51に供給される。
【００３８】
更なる端末51において、受信機55は、インタフェース54を介して前記転送(設定)メッセージを受信し、転送(設定)メッセージを検出器57に供給する。検出器57は、識別表示と転送(設定)命令を検出し、移動体端末1が通信することを希望していることをコントローラ52に通知する。コントローラ52は、応答(設定)命令を生成するように生成器56に命令する。その応答(設定)命令は、更なるユーザ及び／又は更なる端末51の識別表示、並びに前記ユーザ及び／又は移動体端末1の識別表示と共に、応答(設定)メッセージに結合され、その応答(設定)メッセージが送信機53とスイッチ16を介して(場合によってはその他のトランシーバを介して)メッセージサーバ11に供給される。
【００３９】
メッセージサーバ11はスイッチ16を介して前記応答(設定)メッセージを受信し、検出器14が識別表示と応答(設定)命令を検出する。検出器14は、前記更なるユーザ及び／又は更なる端末51が応答したことをコントローラ12に通知し、応答(設定)メッセージを転送するための転送応答(設定)命令を生成するように生成器15に命令する。その転送応答(設定)命令は、更なるユーザ及び／又は更なる端末51の識別表示、並びに前記ユーザ及び／又は移動体端末1の識別表示と共に、転送応答(設定)メッセージに結合され、その転送応答(設定)メッセージがスイッチ16を介して送信機19に供給される。
【００４０】
送信機19は、インタフェース18と無線チャネル8を介して、移動体端末1にこの転送応答(設定)メッセージを送信し、移動体端末1は、インタフェース4を介して受信機5で前記転送応答(設定)メッセージを受信する。受信機5は、転送応答(設定)メッセージを検出器7に供給する。検出器7は、識別表示と転送応答(設定)命令を検出し、メッセージサーバ11が更なる端末51から前記応答(設定)メッセージを受信したことを、コントローラ2に通知する。次に、移動体端末1とネットワークユニット10との間、及び前記更なる端末51とネットワークユニット10との間で以前に交渉されたケイパビリティに従って、移動体端末1から前記更なる端末51への通話が可能になる。
【００４１】
双方の端末1、51がUMTSビデオ通話(双方のケイパビリティの交渉を介して認識されたもの)を行うことが可能な場合、更なる端末51又はメッセージサーバ11は、前記更なる端末51のUMTSビデオ通話アドレス(UMTS電話番号)を、前記(転送)応答(設定)メッセージに追加する。移動体端末1は、このUMTSビデオ通話アドレスを受信及び検出し、例えばそれを前記ユーザに提示し、そのユーザがそれを開始する。双方の端末1、51が数種類の通信(双方のケイパビリティの交渉を介して認識されたもの)を行うことが可能な場合、更なる端末51又はメッセージサーバ11は、前記更なる端末51の１つ以上のアドレス(電話番号、IPアドレス及び／又は電子メールアドレス等のような通信アドレス)を、前記(転送)応答(設定)メッセージに追加する。移動体端末1は、これらのアドレスを受信及び検出し、例えばこれらを前記ユーザに提示し、そのユーザがこれらのうちの１つを選択してその１つを開始する。
【００４２】
一般的に、通話はメッセージサーバ11を介して行われない。しかし、通話に関する情報/制御メッセージは、前記端末のうちの１つ以上とメッセージサーバとの間で交換されることがある。例えば、10秒毎に“合計通話時間”情報を備えた情報メッセージが前記端末のうちの１つ以上に送信されてもよい。又は例えば更なる端末51のケイパビリティが通話中に変化する場合には、“ビデオ通話から音声通話への切り替え”を備えた制御メッセージが移動体端末1に送信されることがある。前記通話が終了するとすぐに、メッセージが交換されてメッセージサーバ11に通知する。
【００４３】
第２の可能性(図２で双方のメッセージサーバが異なるものとして図２に示される)によると、前記更なるユーザ及び／又は前記更なる端末41(詳細に図示されていないが、例えば移動体端末1と同じブロックを含む)は、更なるメッセージサーバ21を有する更なるネットワークユニット20(詳細に図示されていないが、例えばネットワークユニット10と同じブロックを含む)に結合される。コントローラ12はメモリ13を調べ、このことを確認し、設定メッセージを転送するための転送(設定)命令を生成するように生成器15に命令する。その転送(設定)命令は、更なるユーザ及び／又は更なる端末41の識別表示、並びに前記ユーザ及び／又は移動体端末1の識別表示と共に、転送(設定)メッセージに結合され、その転送(設定)メッセージがスイッチ16を介してネットワークユニット20のスイッチ26に供給される。スイッチ26は、転送(設定)メッセージ(の一部)を(１つ以上の識別表示を有して又は有さずに)検出器24に供給する。検出器24は、前記ユーザ及び／又は移動体端末1が前記更なるユーザ及び／又は更なる端末41と通話を設定することを希望していることを、コントローラ22に通知する。コントローラ22は、更に転送(設定)メッセージを転送するための更なる転送(設定)命令を生成するように生成器25に命令する。その更なる転送(設定)命令は、更なるユーザ及び／又は更なる端末41の識別表示、並びに前記ユーザ及び／又は移動体端末1の識別表示と共に、更なる転送(設定)メッセージに結合され、その更なる転送(設定)メッセージがスイッチ16を介して(場合によってはトランシーバ27、28、29を介して)更なる端末41に供給される。
【００４４】
更なる端末41において、受信機45は、インタフェース44を介して前記更なる転送(設定)メッセージを受信し、更なる転送(設定)メッセージを検出器47に供給する。検出器47は、識別表示と更なる転送(設定)命令を検出し、移動体端末1が通信することを希望していることをコントローラ42に通知する。コントローラ42は、応答(設定)命令を生成するように生成器46に命令する。その応答(設定)命令は、更なるユーザ及び／又は更なる端末41の識別表示、並びに前記ユーザ及び／又は移動体端末1の識別表示と共に、応答(設定)メッセージに結合され、その応答(設定)メッセージが送信機43とスイッチ26とスイッチ16を介して(場合によってはトランシーバ27、28、29を介して)メッセージサーバ11に供給される。
【００４５】
メッセージサーバ11はスイッチ16を介して前記応答(設定)メッセージを受信し、検出器14が識別表示と応答(設定)命令を検出する。検出器14は、前記更なるユーザ及び／又は更なる端末41が応答したことをコントローラ12に通知し、応答(設定)メッセージを転送するための転送応答(設定)命令を生成するように生成器15に命令する。その転送応答(設定)命令は、更なるユーザ及び／又は更なる端末41の識別表示、並びに前記ユーザ及び／又は移動体端末1の識別表示と共に、転送応答(設定)メッセージに結合され、その転送応答(設定)メッセージがスイッチ16を介して送信機19に供給される。
【００４６】
送信機19は、インタフェース18と無線チャネル8を介して、移動体端末1にこの転送応答(設定)メッセージを送信し、移動体端末1は、インタフェース4を介して受信機5で前記転送応答(設定)メッセージを受信する。受信機5は、転送応答(設定)メッセージを検出器7に供給する。検出器7は、識別表示と転送応答(設定)命令を検出し、メッセージサーバ11が更なる端末41から前記応答(設定)メッセージを受信したことを、コントローラ2に通知する。次に、移動体端末1とネットワークユニット10との間、及び前記更なる端末41とネットワークユニット20との間で以前に交渉されたケイパビリティに従って、移動体端末1から前記更なる端末41への通話が可能になる。
【００４７】
端末1がUMTSビデオ通話(ケイパビリティの交渉を介して認識されたもの)を行うことが可能であり、双方の端末1、41がGSM通話(双方のケイパビリティの交渉を介して認識されたもの)を行うことが可能な場合、更なる端末41又はメッセージサーバ21若しくはメッセージサーバ11は、前記更なる端末41のGSMアドレス(GSM電話番号)を、前記(転送)応答(設定)メッセージに追加する。移動体端末1は、このGSMアドレスを受信及び検出し、例えばUMTSビデオ通話ができないことを前記ユーザに通知し、前記GSMアドレスを前記ユーザに提示し、そのユーザがそれを開始する。
【００４８】
一般的に、通話はメッセージサーバ11と21を介して行われない。しかし、通話に関する情報/制御メッセージは、前記端末のうちの１つ以上と前記メッセージサーバのうちの１つ以上との間で交換されることがある。例えば、10秒毎に“合計通話時間”情報を備えた情報メッセージが前記端末のうちの１つ以上に送信されてもよい。又は例えば更なる端末41のケイパビリティが通話中に変化する場合には、“ビデオ通話から音声通話への切り替え”を備えた制御メッセージが移動体端末1に送信されることがある。前記通話が終了するとすぐに、メッセージが交換されてメッセージサーバ11と21に通知する。
【００４９】
第３の可能性(図２でメッセージサーバCとユーザDとの通信が異なる及び／又は非標準のプロトコルであるものとして図２に示される)によると、メッセージインフラを全く使用しないように(第１の選択肢)又は異なる(互換性のない)メッセージインフラを使用するように(第２の選択肢)備えられているため、前記更なるユーザ及び／又は前記更なる端末は、ブリッジサーバ30に結合される。コントローラ12はメモリ13を調べ、このことを確認し、設定メッセージを転送するための転送(設定)命令を生成するように生成器15に命令する。その転送(設定)命令は、更なるユーザ及び／又は更なる端末の識別表示、並びに前記ユーザ及び／又は移動体端末1の識別表示と共に、転送(設定)メッセージに結合され、その転送(設定)メッセージがスイッチ16を介してブリッジサーバ30のスイッチ31に供給される。スイッチ31は、転送(設定)メッセージ(の一部)を(１つ以上の識別表示を有して又は有さずに)検出器34に供給する。検出器34は、前記ユーザ及び／又は移動体端末1が前記更なるユーザ及び／又は更なる端末と通話を設定することを希望していることを、コントローラ32に通知する。前記第２の選択肢の場合、コントローラ32は、前記更なる端末にわかるフォーマット/プロトコルでメッセージ命令を生成するように生成器33に命令する。そのメッセージ命令は、互換性のないメッセージインフラを介して、及び／又は例えばISDM若しくはアナログ通話を介して、スイッチ31を介して更なるユーザ及び／又は更なる端末に供給される。
【００５０】
前記更なるユーザ及び／又は更なる端末はそれに反応し、その結果として、検出器34はスイッチ31を介して到達する反応を検出する。それに応じて、コントローラ32は、応答(設定)命令を生成するように生成器33に命令する。その応答(設定)命令は、更なるユーザ及び／又は更なる端末の識別表示、並びに前記ユーザ及び／又は移動体端末1の識別表示と共に、応答(設定)メッセージに結合され、その応答(設定)メッセージがとスイッチ31と16を介してメッセージサーバ11に供給される。前記第１の選択肢の場合、前記応答(設定)命令は、前記更なるユーザ及び／又は更なる端末から全く作用なく生成される。
【００５１】
メッセージサーバ11はスイッチ16を介して前記応答(設定)メッセージを受信し、検出器14が識別表示と応答(設定)命令を検出する。検出器14は、前記更なるユーザ及び／又は更なる端末が応答したことをコントローラ12に通知し、応答(設定)メッセージを転送するための転送応答(設定)命令を生成するように生成器15に命令する。その転送応答(設定)命令は、更なるユーザ及び／又は更なる端末の識別表示、並びに前記ユーザ及び／又は移動体端末1の識別表示と共に、転送応答(設定)メッセージに結合され、その転送応答(設定)メッセージがスイッチ16を介して送信機19に供給される。
【００５２】
送信機19は、インタフェース18と無線チャネル8を介して、移動体端末1にこの転送応答(設定)メッセージを送信し、移動体端末1は、インタフェース4を介して受信機5で前記転送応答(設定)メッセージを受信する。受信機5は、転送応答(設定)メッセージを検出器7に供給する。検出器7は、識別表示と転送応答(設定)命令を検出し、メッセージサーバ11がブリッジサーバ30から前記応答(設定)メッセージを受信したことを、コントローラ2に通知する。次に、移動体端末1とネットワークユニット10との間で以前に交渉されたケイパビリティに従って、及び前記更なる端末のケイパビリティに従って、移動体端末1から前記更なる端末への通話が可能になる。
【００５３】
端末1がUMTSビデオ通話とGSM通話(ケイパビリティの交渉を介して認識されたもの)を行うことが可能であり、前記更なる端末がアナログ又はISDN通話(これはブリッジサーバ30からわかる)を行うことのみが可能な場合、ブリッジサーバ30又はメッセージサーバ11は、前記更なる端末のアナログ又はISDNアドレス(アナログ又はISDN電話番号)を、前記(転送)応答(設定)メッセージに追加する。移動体端末1は、このアナログ又はISDNアドレスを受信及び検出し、例えばUMTSビデオ通話又はGSN通話ができないことを前記ユーザに通知し、前記アナログ又はISDNアドレスを前記ユーザに提示し、そのユーザが移動体端末からアナログ又はISDNネットワークに通話を行うことができる。
【００５４】
一般的に、通話はメッセージサーバ11を介して行われない。しかし、通話に関する情報/制御メッセージは、移動体端末1とメッセージサーバ11との間で交換されることがある。例えば、10秒毎に“合計通話時間”情報を備えた情報メッセージが移動体端末1に送信されてもよい。又は特定のケイパビリティが通話中に変化する場合には、“ビデオ通話から音声通話への切り替え”を備えた制御メッセージが移動体端末1に送信されることがある。前記通話が終了するとすぐに、メッセージが交換されてメッセージサーバ11に通知する。ブリッジサーバ30(読取：スイッチ31)がこの通話に含まれるか否かは、スイッチ31と前記更なる端末との間のアナログ/ISDNネットワーク、及びGSMネットワークがこのアナログ/IDSNネットワークに接続される方法に依存する。
【００５５】
前記の可能性を要約すると、ユーザは、ユーザは、登録、認証、ケイパビリティの交渉、情報取得等のために、及び１つ以上のメッセージサーバを介して同じメッセージインフラを使用する他のユーザ、又はブリッジサーバが一種のインタフェースになることにより異なるもの若しくは全く違うものを使用する他のユーザと関係なく、全ての種類の端末と全ての種類のリンクと全ての種類のネットワークユニットを介して他のユーザとの通信を設定するために、全ての種類の端末と全ての種類のリンクと全ての種類のネットワークユニットを介してメッセージサーバと相互作用することができる。
【００５６】
実装については以下の通りである。前記生成器は、例えば左列信号に対応する入力信号に応じて同じ行の右列信号に対応する出力信号を生成する列を有する表メモリであり、又は例えばコンバータ等である。前記検出器は、例えば基準信号と入力信号を比較する比較器であり、又は例えば入力信号で関数を実行するプロセッサ等である。換言すると、生成器は、入力信号の受信時に正しいテンプレートメッセージを選択し、関連するフィールドを記入し、このXMLを出力信号として送出する‘テンプレートXMLメッセージ’のリストを有してもよく、検出器は入力XML信号を構文解析し、関連するフィールドを取り出す等してもよい。前記コントローラは、例えばランダムアクセスメモリ、読み出し専用メモリ又はハードディスク等を有するプロセッサである。前記ブリッジサーバは通常は、メッセージサーバ(コントローラ＋検出器＋生成器＋メモリ)と、多機能検出器及び生成器又は異なるメッセージインフラの検出器及び生成器の対とを有する。前記命令と識別表示の結合は、例えばシフトレジスタを介して行われることがある。従って、各ブロックは100%のハードウェアでもよく、100%のソフトウェアでもよく、双方の組み合わせでもよい。
【００５７】
前記ネットワークユニットの前記スイッチは、図１に示されるように配置されてもよく、メッセージサーバの他方に配置され、メッセージサーバが送受信インタフェースとスイッチの間に配置されてもよい。代替として、前記スイッチは前記メッセージサーバを有してもよく、その逆も同様である。
【００５８】
ネットワークユニットがホームネットワークユニット(ホームメッセージサーバ)であるか否かを各ネットワークユニットで確認し、各メッセージをホームネットワークユニットに送信する(それによって例えばメッセージ毎に識別表示に対する小額の請求によりクライアントに課金する)ことにより、ローミングに対して容易に対応できる。当然のことながら、サービスがローカルに配信される(それによって例えばメッセージ毎に識別表示に対する高額の請求によりクライアントに課金する)こともある。
【００５９】
メッセージをネットワークユニットに送信し、応答メッセージを受信する際に、この応答メッセージ又は更なる応答メッセージは、利用可能な(電源が入っている又はオンラインである)他のユーザについての(存在)情報を更に/追加で/代替として有してもよく、アドレス帳を有してもよく、状態情報を有してもよく、コスト情報等を有してもよい。通話中にメッセージサーバが通話自体に含まれていなくても、前述の１つ以上のメッセージが交換されてもよい。
【００６０】
図２では、通信図の番号は以下の意味を有する(1はユーザAにより操作される移動体端末1であり、10はメッセージサーバBを有するネットワークユニット10であり、20はメッセージサーバCを有するネットワークユニット20であり、41はユーザDにより操作される更なる端末41である)。
100:サーバへの接続開始(例えばポート5222を開放する)
101:メッセージ通信の送信要求
102:サーバからの応答:OK
103:サーバへの認証メッセージ
104:認証応答
105サーバへの認証確認
106:クライアントへの認証確認
107:サーバのケイパビリティの要求
108:サーバのケイパビリティの応答
109:アドレス帳の要求
110:アドレス帳の応答
111:オンライン中のクライアントの存在についてユーザA@Bを設定する
112:存在するアドレス帳の全ての人から存在情報を受信する
(113:112で以前に受信されていない場合、D@Cから存在情報を受信する)
114:クライアントの存在についてユーザA@Bを遠隔サーバに送信する
115:クライアントの存在についてユーザA@Bを遠隔ユーザD@Cに送信する
116:D@Cに電話をかける
117:ユーザA@BからD@Cに電話をかける
118:A@Bから電話を受信する
119:A@Bからの電話を容認する
120:A@BからD@Cへの電話を容認する
121:D@Cへの電話を容認する
122:音声接続
123:音声接続
124:状態を通話中に設定する
125:状態を通話中に設定する
各番号100-125は、１つ又は複数のメッセージ(の一部)に対応可能である。番号100-102は登録ステップ/機能を有し、番号103-106は認証ステップ/機能を有し、番号107-115は情報ステップ/機能を有し、そのうちの番号107-108は例えば開始を示しており、番号109-110は例えばサーバのケイパビリティの交換を示しており、番号112-115は例えばアドレス帳の交換と状態の更新を示しており、番号116-121は設定ステップ/機能を有し、番号122-123は通話ステップ/機能を有し、番号124-125は例えば状態の更新のような情報ステップ/機能を有する。前記のステップと機能は、本発明による方法及びプロセッサプログラム製品のステップと機能に追加可能であり、また更なるステップと機能が除外されるわけではない。
【図面の簡単な説明】
【００６１】
【図１】本発明による移動体端末と本発明によるネットワークユニットとを有する本発明による電気通信システムをブロック図で示したものである。前記ネットワークユニットは本発明によるメッセージサーバを有する。
【図２】本発明による方法と、本発明による１つ以上のプロセッサプログラム製品とを説明する通信図を示したものである。
【図１】
2005525058.tif 000003
【図２】
2005525058.tif 000004
【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
端末とネットワークユニットとを有する電気通信システムであって、
前記端末は、メッセージを送受信するトランシーバを有し、
前記ネットワークユニットは、前記メッセージを送受信するトランシーバを有し、前記メッセージを供給し、他のクライアントに到達可能であることをクライアントに通知するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とする電気通信システム。
【請求項２】
請求項１に記載の電気通信システムであって、
前記メッセージが発信元の識別表示及び／又は宛先の識別表示を更に有することを特徴とする電気通信システム。
【請求項３】
請求項２に記載の電気通信システムであって、
制御命令が前記相互作用を認証する認証命令を有することを特徴とする電気通信システム。
【請求項４】
請求項２に記載の電気通信システムであって、
制御命令がケイパビリティを定めるケイパビリティ命令を有することを特徴とする電気通信システム。
【請求項５】
請求項２に記載の電気通信システムであって、
制御命令が通信を設定する設定命令を有することを特徴とする電気通信システム。
【請求項６】
請求項３ないし５のうちのいずれか１項に記載の電気通信システムであって、
前記メッセージがXMLメッセージであることを特徴とする電気通信システム。
【請求項７】
端末とネットワークユニットとを有する電気通信システムで使用される端末であって、
前記端末は、メッセージを送受信するトランシーバを有し、
前記ネットワークユニットは、前記メッセージを送受信するトランシーバを有し、前記メッセージを供給し、他のクライアントに到達可能であることをクライアントに通知するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とする端末。
【請求項８】
端末とネットワークユニットとを有する電気通信システムで使用されるネットワークユニットであって、
前記端末は、メッセージを送受信するトランシーバを有し、
前記ネットワークユニットは、前記メッセージを送受信するトランシーバを有し、前記メッセージを供給し、他のクライアントに到達可能であることをクライアントに通知するメッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とするネットワークユニット。
【請求項９】
端末とネットワークユニットとを有する電気通信システムで使用されるメッセージサーバであって、
前記端末は、メッセージを送受信するトランシーバを有し、
前記ネットワークユニットは、前記メッセージを送受信するトランシーバを有し、前記メッセージを供給し、他のクライアントに到達可能であることをクライアントに通知する前記メッセージサーバを有し、
少なくとも１つのメッセージが、端末とネットワークユニットの間で少なくとも１つの相互作用を制御するための少なくとも１つの制御命令の少なくとも一部を有し、前記端末と前記メッセージサーバがそれぞれ、制御命令を検出する検出器と、制御命令を生成する生成器とを有することを特徴とするメッセージサーバ。
【請求項１０】
電気通信システムで使用される方法であって、
端末でメッセージを送受信するステップと、
ネットワークユニットで前記メッセージを送受信するステップと、
前記ネットワークユニットのメッセージサーバで前記メッセージを供給し、他のクライアントに到達可能であることをクライアントに通知するステップと
を有し、
少なくとも１つのメッセージが、端末とネットワークユニットの間で少なくとも１つの相互作用を制御するための少なくとも１つの制御命令の少なくとも一部を有し、前記方法が、前記端末及び前記メッセージサーバで制御命令を検出するステップと、前記端末及び前記メッセージサーバで制御命令を生成するステップとを有することを特徴とする方法。
【請求項１１】
ネットワークユニットで使用されるプロセッサプログラム製品であって、
前記ネットワークユニットで前記メッセージを送受信する機能と、
前記ネットワークユニットのメッセージサーバで前記メッセージを供給し、他のクライアントに到達可能であることをクライアントに通知する機能と
を有し、
前記メッセージが更に端末で送受信され、
少なくとも１つのメッセージが、端末とネットワークユニットの間で少なくとも１つの相互作用を制御するための少なくとも１つの制御命令の少なくとも一部を有し、前記プロセッサプログラム製品が、前記メッセージサーバで制御命令を検出する機能と、前記メッセージサーバで制御命令を生成する機能とを有することを特徴とするプロセッサプログラム製品。
【請求項１２】
端末で使用されるプロセッサプログラム製品であって、
前記端末で前記メッセージを送受信する機能を有し、
前記メッセージが更にネットワークユニットで送受信され、前記ネットワークユニットのメッセージサーバで供給され、他のクライアントに到達可能であることをクライアントに通知し、
少なくとも１つのメッセージが、端末とネットワークユニットの間で少なくとも１つの相互作用を制御するための少なくとも１つの制御命令の少なくとも一部を有し、前記プロセッサプログラム製品が、前記端末で制御命令を検出する機能と、前記端末で制御命令を生成する機能とを有することを特徴とするプロセッサプログラム製品。
【国際調査報告】
2005525058.tif 000005
2005525058.tif 000006
2005525058.tif 000007